【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
液晶パネルと、
前記液晶パネルに光を供給し、各発光ブロックに含まれる発光素子に流れる電流のピーク値が動作モードに応じて調節される多数の発光ブロックと、を備えることを特徴とする液晶表示装置。
【請求項２】
前記多数の発光ブロックが少なくとも一つの発光ブロックを含む多数の発光グループに区分されて制御される時、
制御信号の一フレームは、第１動作モード時に少なくとも一つの発光グループがターンオフされる区間を含み、第２動作モード時に前記発光グループがターンオフされる区間を含まないことを特徴とする請求項１に記載の液晶表示装置。
【請求項３】
前記発光素子に流れる電流のピーク値は、前記第１動作モードで前記第２動作モードより大きいことを特徴とする請求項２に記載の液晶表示装置。
【請求項４】
前記多数の発光ブロックは行列形態で配列され、前記各発光グループは該行列の行（ｒｏｗ）であり、
前記第１動作モード時に前記各行が順次的にターンオフされることを特徴とする請求項２に記載の液晶表示装置。
【請求項５】
前記液晶パネルは前記各発光ブロックと対応するように多数の表示ブロックで区分され、前記各発光ブロックの輝度は前記各表示ブロックに表示される映像に応じて制御されることを特徴とする請求項１に記載の液晶表示装置。
【請求項６】
第１動作モードで第１基準電圧を供給し、第２動作モードで該第１基準電圧の電圧レベルより低い電圧レベルの第２基準電圧を供給する電圧供給部と、
前記第１基準電圧又は前記第２基準電圧の入力を受け、前記発光素子に流れる電流のピーク値が前記第１動作モードで前記第２動作モードより大きくなるように調節するバックライトドライバと、を更に備えることを特徴とする請求項１に記載の液晶表示装置。
【請求項７】
前記バックライトドライバは、前記発光素子に流れる電流の大きさを検出して該電流の大きさに対応する電圧レベルの検出電圧を出力し、
前記検出電圧の電圧レベルが前記第１基準電圧又は前記第２基準電圧の電圧レベルより低い場合、前記電流のピーク値を増加させ、前記検出電圧の電圧レベルが前記第１基準電圧又は前記第２基準電圧の電圧レベルより高い場合、前記電流のピーク値を減少させることを特徴とする請求項６に記載の液晶表示装置。
【請求項８】
前記バックライトドライバは、前記発光素子に流れる電流の大きさを検出して該電流の大きさに対応する電圧レベルの検出電圧を出力する電流検出部と、
前記検出電圧と前記第１基準電圧又は前記第２基準電圧とを比較する比較器と、
前記比較結果によって前記電流のピーク値を調節するスイッチング部と、を含むことを特徴とする請求項６に記載の液晶表示装置。
【請求項９】
前記電圧供給部は、
入力電圧が印加される入力ノードと前記第１基準電圧又は前記第２基準電圧が出力される出力ノードとの間に連結された第１抵抗と、
前記入力ノードとグラウンドとの間に連結され、動作モード信号に応じて前記入力ノードと前記グラウンドとの間の抵抗値を調節して前記出力ノードの電圧を調節する電圧調節部と、を含むことを特徴とする請求項６に記載の液晶表示装置。
【請求項１０】
前記電圧調節部は、
前記出力ノードとグラウンドとの間に連結されたシャントレギュレータと、
前記出力ノードと前記シャントレギュレータの基準端子との間に連結された第２抵抗と、
前記基準端子と前記グラウンドとの間に連結されて動作モード信号に応じて可変される抵抗値を有し、該抵抗値が前記第１動作モードで前記第２動作モードより小さい可変抵抗部と、を含み、
前記可変抵抗部は、第１レベルの前記動作モード信号に応答してイネーブルされ前記抵抗値を減少させ、第２レベルの前記動作モード信号に応答してディセーブルされ前記抵抗値を増加させるスイッチング素子を含むことを特徴とする請求項９に記載の液晶表示装置。
【手続補正２】
【補正対象書類名】明細書
【補正対象項目名】発明の名称
【補正方法】変更
【補正の内容】
【発明の名称】液晶表示装置
【手続補正３】
【補正対象書類名】明細書
【補正対象項目名】０００１
【補正方法】変更
【補正の内容】
【０００１】
本発明は、液晶表示装置に関するものである。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００８
【補正方法】変更
【補正の内容】
【０００８】
前記多数の発光ブロックが少なくとも一つの発光ブロックを含む多数の発光グループに区分されて制御される時、制御信号の一フレームは、第１動作モード時に少なくとも一つの発光グループがターンオフされる区間を含み、第２動作モード時に前記発光グループがターンオフされる区間を含まないようにできる。
前記発光素子に流れる電流のピーク値は、前記第１動作モードで前記第２動作モードより大きく、前記多数の発光ブロックは行列形態で配列され、前記各発光グループは該行列の行（ｒｏｗ）であり、前記第１動作モード時に前記各行が順次的にターンオフされ得る。
前記液晶パネルは前記各発光ブロックと対応するように多数の表示ブロックで区分され、前記各発光ブロックの輝度は前記各表示ブロックに表示される映像に応じて制御され得る。
第１動作モードで第１基準電圧を供給し、第２動作モードで該第１基準電圧の電圧レベルより低い電圧レベルの第２基準電圧を供給する電圧供給部と、前記第１基準電圧又は前記第２基準電圧の入力を受け、前記発光素子に流れる電流のピーク値が前記第１動作モードで前記第２動作モードより大きくなるように調節するバックライトドライバと、を更に備え得る。
前記バックライトドライバは、前記発光素子に流れる電流の大きさを検出して該電流の大きさに対応する電圧レベルの検出電圧を出力し、前記検出電圧の電圧レベルが前記第１基準電圧又は前記第２基準電圧の電圧レベルより低い場合、前記電流のピーク値を増加させ、前記検出電圧の電圧レベルが前記第１基準電圧又は前記第２基準電圧の電圧レベルより高い場合、前記電流のピーク値を減少させ、前記バックライトドライバは、前記発光素子に流れる電流の大きさを検出して該電流の大きさに対応する電圧レベルの検出電圧を出力する電流検出部と、前記検出電圧と前記第１基準電圧又は前記第２基準電圧とを比較する比較器と、前記比較結果によって前記電流のピーク値を調節するスイッチング部と、を含み、前記電圧供給部は、入力電圧が印加される入力ノードと前記第１基準電圧又は前記第２基準電圧が出力される出力ノードとの間に連結された第１抵抗と、前記入力ノードとグラウンドとの間に連結され、動作モード信号に応じて前記入力ノードと前記グラウンドとの間の抵抗値を調節して前記出力ノードの電圧を調節する電圧調節部と、を含み得る。
前記電圧調節部は、前記出力ノードとグラウンドとの間に連結されたシャントレギュレータと、前記出力ノードと前記シャントレギュレータの基準端子との間に連結された第２抵抗と、前記基準端子と前記グラウンドとの間に連結されて動作モード信号に応じて可変される抵抗値を有し、該抵抗値が前記第１動作モードで前記第２動作モードより小さい可変抵抗部と、を含み、前記可変抵抗部は、第１レベルの前記動作モード信号に応答してイネーブルされ前記抵抗値を減少させ、第２レベルの前記動作モード信号に応答してディセーブルされ前記抵抗値を増加させるスイッチング素子を含み得る。
【手続補正７】
【補正対象書類名】明細書
【補正対象項目名】０００９
【補正方法】削除
【補正の内容】
【手続補正８】
【補正対象書類名】明細書
【補正対象項目名】００１１
【補正方法】変更
【補正の内容】
【００１１】
このような液晶表示装置によれば、表示品質を向上させることができる。